(57)【要約】      （修正有）【課題】本発明は、文字、図形、イラスト、画像等を描画して提示するための装置に関し、描画された内容に別々の場所から好適にアクセスし得るようにする。【解決手段】ボードに付帯させるボード側装置１と、該ボード側装置１と通信可能に接続する情報処理装置２とから構成され、前記情報処理装置２が、前記ボードに描画すべき内容に係るデータと該データにアクセスできる権限を証明する認証情報とを関連づけて格納し、前記データへのアクセスを要求に、認証情報が含まれる場合にのみ該データへのアクセスを許可し、その事実に基づき前記データを送信し、前記ボード側装置１が、認証情報取得手段１１が取得した認証情報を含み所要のデータへのアクセス要求を前記情報処理装置２へ送信し、前記情報処理装置２よりもたらされるデータを受信し、前記受信手段が受信したデータを基に前記ボードに描画するボードシステム。【選択図】図９
2004274518.tif 000002
【特許請求の範囲】
【請求項１】
文字、図形、画像等を描画し得るボードに付帯させるボード側装置と、該ボード側装置と通信可能に接続する情報処理装置とを内包してなるシステムであって、
前記情報処理装置が、前記ボードに描画すべき内容に係るデータと該データにアクセスできる権限を証明する情報である認証情報とを関連づけて格納するデータ格納手段と、前記データ格納手段が格納しているデータへのアクセスを要求するリクエストを受け付けるリクエスト受付手段と、前記リクエスト受付手段が受け付けたリクエストにアクセス対象となるデータと関連づけられた認証情報が含まれる場合にのみ該データへのアクセスを許可しそれ以外の場合には不許可とする認証手段と、前記認証手段がアクセスを許可した事実に基づき前記データを送信する送信手段とを具備し、
前記ボード側装置が、前記認証情報を取得する認証情報取得手段と、前記認証情報取得手段が取得した認証情報を含み所要のデータへのアクセスを要求するリクエストを前記情報処理装置に向けて送信する送信手段と、前記情報処理装置よりもたらされるデータを受信する受信手段と、前記受信手段が受信したデータを基に前記ボードに描画すべき内容を描画する描画手段とを具備するボードシステム。
【請求項２】
文字、図形、画像等を描画し得るボードに付帯させるボード側装置と、該ボード側装置と通信可能に接続する情報処理装置とを内包してなるシステムであって、
前記ボード側装置が、前記ボードに表示されている内容を読み取る読み取り手段と、前記読み取り手段が読み取った内容に係るデータにアクセスできる権限を証明する情報であって該データに関連づけるべき認証情報を取得する認証情報取得手段と、前記データ及び前記認証情報を送信する送信手段とを具備し、
前記情報処理装置が、前記ボード側装置よりもたらされる前記データ及び前記認証情報を受信する受信手段と、前記受信手段が受信したデータと認証情報とを関連づけて格納するデータ格納手段と、前記データ格納手段が格納しているデータへのアクセスを要求するリクエストを受け付けるリクエスト受付手段と、前記リクエスト受付手段が受け付けたリクエストにアクセス対象となるデータと関連づけられた認証情報が含まれる場合にのみ該データへのアクセスを許可しそれ以外の場合には不許可とする認証手段とを具備するボードシステム。
【請求項３】
前記ボードが、複数人が同時に閲覧することが可能な画面を有するものである請求項１又は２記載のボードシステム。
【請求項４】
請求項１記載のボードシステムを構築するためのものであって、ボードに描画すべき内容に係るデータにアクセスできる権限を証明する情報である認証情報を取得する認証情報取得手段と、
前記認証情報取得手段が取得した認証情報を含み所要のデータへのアクセスを要求するリクエストを情報処理装置に向けて送信する送信手段と、
前記情報処理装置よりもたらされるデータを受信する受信手段と、
前記受信手段が受信したデータを基に前記ボードに描画すべき内容を描画する描画手段と
を具備するボード側装置。
【請求項５】
請求項２記載のボードシステムを構築するためのものであって、ボードに表示されている内容を読み取る読み取り手段と、
前記読み取り手段が読み取った内容に係るデータにアクセスできる権限を証明する情報であって該データに関連づけるべき認証情報を取得する認証情報取得手段と、
前記データ及び前記認証情報を情報処理装置に向けて送信する送信手段と
を具備するボード側装置。
【請求項６】
請求項１記載のボードシステムを構築するためのものであって、ボードに描画すべき内容に係るデータと該データにアクセスできる権限を証明する情報である認証情報とを関連づけて格納するデータ格納手段と、
前記データ格納手段が格納しているデータへのアクセスを要求するリクエストを受け付けるリクエスト受付手段と、
前記リクエスト受付手段が受け付けたリクエストにアクセス対象となるデータと関連づけられた認証情報が含まれる場合にのみ該データへのアクセスを許可しそれ以外の場合には不許可とする認証手段と、
前記認証手段がアクセスを許可した事実に基づき前記データを送信する送信手段と
を具備する情報処理装置。
【請求項７】
請求項１記載のボードシステムを構築するためのものであって、コンピュータを、
ボードに描画すべき内容に係るデータと該データにアクセスできる権限を証明する情報である認証情報とを関連づけて格納するデータ格納手段、
前記データ格納手段が格納しているデータへのアクセスを要求するリクエストを受け付けるリクエスト受付手段、
前記リクエスト受付手段が受け付けたリクエストにアクセス対象となるデータと関連づけられた認証情報が含まれる場合にのみ該データへのアクセスを許可しそれ以外の場合には不許可とする認証手段、及び、
前記認証手段がアクセスを許可した事実に基づき前記データを送信する送信手段として機能させるプログラム。
【請求項８】
請求項２記載のボードシステムを構築するためのものであって、ボード側装置よりもたらされる、ボードに表示されている内容に係るデータ及び前記データにアクセスできる権限を証明する情報であって該データに関連づけるべき認証情報を受信する受信手段と、
前記受信手段が受信したデータと認証情報とを関連づけて格納するデータ格納手段と、
前記データ格納手段が格納しているデータへのアクセスを要求するリクエストを受け付けるリクエスト受付手段と、
前記リクエスト受付手段が受け付けたリクエストにアクセス対象となるデータと関連づけられた認証情報が含まれる場合にのみ該データへのアクセスを許可しそれ以外の場合には不許可とする認証手段と
を具備する情報処理装置。
【請求項９】
請求項２記載のボードシステムを構築するためのものであって、コンピュータを、
ボード側装置よりもたらされる、ボードに表示されている内容に係るデータ及び前記データにアクセスできる権限を証明する情報であって該データに関連づけるべき認証情報を受信する受信手段、
前記受信手段が受信したデータと認証情報とを関連づけて格納するデータ格納手段、
前記データ格納手段が格納しているデータへのアクセスを要求するリクエストを受け付けるリクエスト受付手段、並びに、
前記リクエスト受付手段が受け付けたリクエストにアクセス対象となるデータと関連づけられた認証情報が含まれる場合にのみ該データへのアクセスを許可しそれ以外の場合には不許可とする認証手段
として機能させるプログラム。
【発明の詳細な説明】
【０００１】
【発明の属する技術分野】
本発明は、複数人が好適に情報を共有し得るようなボードシステムに関する。
【０００２】
【従来の技術】
色素を内包し、該色素を磁気力で変位させることで画面に前記色素を以て表示し得るボードが既知である（例えば、下記特許文献１、特許文献２、特許文献３を参照）。これらは、ボードの画面に沿って左右に走行する描画ユニットに磁気ヘッドを実装してなるもので、この磁気ヘッドにより画像の描画が可能となっている。
【０００３】
【特許文献１】特許第３３５１６２６号公報
【特許文献２】特公平７−１１１６１６号公報
【特許文献３】特開平９−０７６６９４号公報
【０００４】
【発明が解決しようとする課題】
ところが、上記例の如き既存のものでは、ボードの画面の保存や再描画を行い得るとはいえ、別々の場所に存在する複数人が同じ情報を共有するという観点について何ら考慮されておらず、ある場所においてボードに記述した情報を別の場所で再利用するといったことは困難であった。
【０００５】
以上の問題に鑑みて、本発明は、文字、図形、イラスト、画像等を描画して提示するための装置に関し、描画された内容に別々の場所から好適にアクセスし得るようにすることを目的としている。
【０００６】
【課題を解決するための手段】
上述した課題を解決すべく、本発明では、図１に示すように、文字、図形、画像等を描画し得るボードに付帯させるボード側装置１と、該ボード側装置１と通信可能に接続する情報処理装置２とを内包してなるシステムであって、前記情報処理装置２が、前記ボードに描画すべき内容に係るデータと該データにアクセスできる権限を証明する情報である認証情報とを関連づけて格納するデータ格納手段２１と、前記データ格納手段２１が格納しているデータへのアクセスを要求するリクエストを受け付けるリクエスト受付手段２２と、前記リクエスト受付手段２２が受け付けたリクエストにアクセス対象となるデータと関連づけられた認証情報が含まれる場合にのみ該データへのアクセスを許可しそれ以外の場合には不許可とする認証手段２３と、前記認証手段２３がアクセスを許可した事実に基づき前記データを送信する送信手段２４とを具備し、前記ボード側装置１が、前記認証情報を取得する認証情報取得手段１１と、前記認証情報取得手段１１が取得した認証情報を含み所要のデータへのアクセスを要求するリクエストを前記情報処理装置２に向けて送信する送信手段１２と、前記情報処理装置２よりもたらされるデータを受信する受信手段１３と、前記受信手段が受信したデータを基に前記ボードに描画すべき内容を描画する描画手段１４とを具備するボードシステムを構成した。このようなものであれば、情報処理装置２と通信可能なボード側装置１を別々の場所に設置し、これらの場所から情報処理装置２に格納されているデータにアクセス可能となる。結果として、秘匿性を担保しながら、別々の場所に存在する複数人が情報を好適に共有し得るものとなる。
【０００７】
また、図２に示すように、前記ボード側装置１が、前記ボードに表示されている内容を読み取る読み取り手段１５と、前記読み取り手段１５が読み取った内容に係るデータにアクセスできる権限を証明する情報であって該データに関連づけるべき認証情報を取得する認証情報取得手段１１と、前記データ及び前記認証情報を送信する送信手段１２とを具備し、前記情報処理装置２が、前記ボード側装置１よりもたらされる前記データ及び前記認証情報を受信する受信手段２５と、前記受信手段が受信したデータと認証情報とを関連づけて格納するデータ格納手段２１と、前記データ格納手段２１が格納しているデータへのアクセスを要求するリクエストを受け付けるリクエスト受付手段２２と、前記リクエスト受付手段２２が受け付けたリクエストにアクセス対象となるデータと関連づけられた認証情報が含まれる場合にのみ該データへのアクセスを許可しそれ以外の場合には不許可とする認証手段２３とを具備するボードシステムであれば、秘匿性を担保しながら、ボードに記述した情報を情報処理装置２に格納し、別々の場所からアクセス可能となる。
【０００８】
ここで、データにアクセスするとは、電気通信回線を介して実行される、データの参照、データの改変、データの消去、データの移転並びにアクセス権限の変更等をおしなべて包含する概念である。よって、アクセス権限には、データ参照のみ可能、データの改変が可能、等のように、複数の段階が存在し得る。ボードに描画すべき内容に係るデータとは、典型的には画像データであるが、読み取った内容よりＯＣＲ（Ｏｐｔｉｃａｌ  Ｃｈａｒａｃｔｅｒ  Ｒｅｃｏｇｎｉｔｉｏｎ；光学的手法による文字認識）によりテキストデータ化したものであってもよい。このときには、ボード側装置１若しくは情報処理装置２にＯＣＲ機能が予め実装されている。データへのアクセス権限は、各データファイル単位で設定されることもあれば、複数のデータファイルの組または複数のデータファイルを包含するディレクトリ（あるいは、フォルダ）単位で設定されることもある。認証情報としては、アクセス権限を有するユーザを識別するＩＤ、パスコード、バイオメトリックデータや、ユーザに配布される各種記録媒体、特に、ＲＦＩＤ（Ｒａｄｉｏ  Ｆｒｅｑｕｅｎｃｙ  ＩＤｅｎｔｉｆｉｃａｔｉｏｎ；識別情報を記録する記録媒体に対し、電磁波を用いて情報の記録または読出を行う認識方法）タグに記憶されている識別情報、その他を挙げることができる。前記データ及び前記認証情報を送信または受信するとき、これらを別個に送受信する態様を妨げない。さらに、情報処理装置２がリクエストを受け付ける対象は、ボード側装置１には限られず、電気通信回線を介して情報処理装置２と接続している情報処理端末（クライアントコンピュータ）であることがある。
【０００９】
前記ボードは、複数人が同時に閲覧することが可能な画面を有するものであることが好ましい。
【００１０】
【発明の実施の形態】
以下、本発明の一実施形態を、図面を参照して説明する。図３に示すように、本実施形態におけるボード３システムは、文字、図形、イラスト、画像等を描画可能なボード３に付帯させるボード側装置１と、情報処理装置２とを、ＬＡＮ、ＷＡＮ、インターネット等の電気通信回線４を介して通信可能であるように接続してなるものである。
【００１１】
ボード３は、複数人が同時に閲覧することが可能であるような寸法を有する画面を備えており、ユーザはこの画面に種々の情報、即ち文字、記号、図形、イラストや画像その他を描画して提示することができる。ボード３は、自立性を有するものであることが好ましい。本実施形態におけるボード３は、駆動信号Ｈを受けることによりその表示内容が変化するものである。例えば、電気力若しくは磁気力を受けて変位する色表示要素を内包してなり、外方より（特に、画面側より）駆動信号Ｈたる電気信号、磁気信号Ｈ若しくは電磁波等を受けることで画面に前記色表示要素を表示し得る。典型的には、図４に示すように、ハニカム構造をなす多数の表示用セル３１を縦横に配列してなるもので、各セル３１内には流体３２と磁性粒３３とを封入してある。そして、磁性粒３３のＮ極とＳ極とに、相異なる色素を着色し、これらの色素を色表示要素としている。色表示要素の色（黒色、白色でもよい）は特に限定されないが、ここでは一方の極の側を白色、他方の極の側を緑色若しくは黒色とする。磁性粒３３は、セル３１内で流体３２中におかれ、外方より磁場（磁気信号Ｈ）を受けることで回転する。この結果、色表示要素が変位して画面側に表出する状態となる。色表示要素は、描画される文字、図形等を構成する要素となる、あるいは、描画される文字、図形等以外の背景を構成する要素となる。従って、磁石を筆先に配した筆記具を使用すれば、ボード３の画面に文字、図形等を描画することができ、筆記具とは逆の極性を有する磁石を使用すれば描画した文字、図形等を消去することができる。因みに、該ボード３は、緑色若しくは黒色の背景に白色で描画する黒板としても、白色の背景に緑色若しくは黒色で描画するホワイトボード３としても利用可能である。さらに、本実施形態では、ＰＥＴフィルムに代表される、ボード３の表面に透光性及び透磁性を有するフィルムを貼付してあり、一般的なマーカーペン等を使用してボード３の表面に描画することも可能となっている。
【００１２】
他方、ボード側装置１は、ボード３に描画するためのものであって、ボード３の画面表示内容を変化させる駆動信号Ｈを出力し得るように構成される。本実施形態では、磁性粒３３を駆動するための磁気信号Ｈを駆動信号Ｈとすることから、図５、図６に示すように、ボード側装置１が、励磁コイルや該励磁コイルに電圧を印加する回路等を包含する描画ヘッド１ａを少なくとも具備する。また、ボード３の画面に表示されている内容を読み取り得るように、光学センサ１ｂをも具備している。この光学センサ１ｂは、磁性粒３３に付した色表示要素により表現される文字、図形等の描画内容と、マーカーペン等によって描画された描画内容との双方を読み取り可能なものである。即ち、描画ヘッド１ａの機能を利用して描画手段１４が構成され、かつ、光学センサ１ｂの機能を利用して読み取り手段１５が構成される。描画ヘッド１ａ、光学センサ１ｂは、制御部１ｃにより制御される。制御部１ｃは、プロセッサやメモリ、Ｉ／Ｏインタフェース、その他を内包してなる。なお、制御部１ｃのＩ／Ｏインタフェースには、ユーザによる操作入力を受け付ける入力デバイス１ｅや、着脱可能なメモリカードに代表される補助記憶デバイス１ｆ、情報処理装置２と通信するための通信デバイス１ｇ（特に、無線通信デバイス）、プリンタ１ｈ等を接続する。これらのハードウェア資源を、ボード側装置１の本体１ｄに実装している。因みに、入力デバイス１ｅは、リモートコントローラとしての役割を担い、本体１ｄより着脱可能である。また、ＩＣカード、メモリカードを挿入するスロットや、ＲＦＩＤタグ、ＲＦＩＤチップを読み書きするためのＲＦＩＤリーダを、本体１ｄまたは入力デバイス１ｅに設けておく。
【００１３】
ボード側装置１の本体１ｄは比較的長尺なものであり、前記描画ヘッド１ａや前記光学センサ１ｂはこの本体１ｄの長手方向に沿って配列してある。図７に示すように、本体１ｄは、ボード３とは別体をなし、アクチュエータにより駆動されてボード３の画面に略沿って移動可能であるように該ボード３に取り付けてある。図示例では、上下方向に延伸する本体１ｄを、ボード３の画面に略沿って左右方向に移動可能であるように設けている。
【００１４】
ボード３の画面に表示されている内容を読み取るときには、ユーザが入力デバイス１ｅを使用して命令を発し、本体１ｄを前記画面に略沿って移動させる操作を行う。読み取り手段１５は、本体１ｄの長手方向に沿って延伸する帯状の領域を一時に読み取るものであり、ユーザが本体１ｄを移動させることでボード３の画面の一部若しくは全部を走査する。このとき、制御部１ｃは、既存の光学式マウスまたは機械式（ボール）マウスと同様の原理で本体１ｄのボード３に対する変位を検出しつつ、光学センサ１ｂを介して読み取った内容を画像データとして制御部１ｃのメモリまたは補助記憶デバイス１ｆに格納する。因みに、本体１ｄの変位を精確に検知できるように、ボード３の表面に予めグリッドライン若しくは特殊なパターン（ボード３の表面における単位領域毎に、当該単位領域の座標値を表すパターン）を印刷しておき、該グリッドライン若しくはパターンを光学センサ１ｂに感知させることが好ましい。なお、制御部１ｃにＯＣＲ機能を付与しているような場合には、画面に記述されているテキストを読み取り手段１５を介して読み取り、これを画像データではなくテキストデータに変換してメモリに格納するようにすることができる。特に、ボード３の画面の所要の領域（望ましくは、上端部位若しくは下端部位）を、テキストを記述するための専用領域として定めておき、読み取り手段１５を介して該テキストを読み取り、ＯＣＲにてテキストデータに変換して画像データに関連づける（とりわけ、ファイル名、タイムスタンプ等の、画像データに係るメタデータとして）ことが好ましいと言える。メモリまたは補助記憶デバイス１ｆには、複数枚分の画面に係る画像データを格納することができる。
【００１５】
ボード３の画面に描画するときには、ユーザが入力デバイス１ｅを使用して命令を発し、本体１ｄを前記画面に略沿って移動させる操作を行う。描画手段１４は、本体１ｄの長手方向に沿って延伸する帯状の領域を一時に描画するものであり、ユーザが本体１ｄを移動させることでボード３の画面の一部若しくは全部を走査する。このとき、制御部１ｃは、既存の光学式マウスと同様の原理で本体１ｄのボード３に対する変位を検出しつつ、メモリまたは補助記憶デバイス１ｆに格納されている、描画すべき画像データを基に描画ヘッド１ａを制御して駆動信号Ｈたる磁気信号Ｈを出力させる。因みに、既に述べたように、本体１ｄの変位を精確に検知できるように、ボード３の表面に予めグリッドライン若しくは特殊なパターンを印刷しておき、該グリッドライン若しくはパターンを光学センサ１ｂに感知させることが好ましい。加えて、メモリまたは補助記憶デバイス１ｆに複数の画面に係る画像データを予め格納しておき、ユーザの任意に応じてこれらの画像のうち何れかを選択的に描画するようなことが可能である。この場合、複数枚の画像を順次描画して、プレゼンテーションを実行することができる。なお、ボード３の画面の所要の領域を、テキストを記述するための専用領域として定めているとき、画像を描画するにあたり当該領域には画像データに係るメタデータ（ファイル名、タイムスタンプ等）を描画するようにしてもよい。さらには、画像データを格納している補助記憶デバイス１ｆが本体１ｄより着脱可能であるような場合には、該補助記憶デバイス１ｆを適宜に取り替えることで、異なる画像を描画できるものとなる。
【００１６】
ところで、ボード３の画面に表示されている所要の画像を読み取る際に、描画手段１４をも制御して、読み取り対象の画像を消去するようにしても構わない。また、描画手段１４が画像を描画する際に、描画対象領域に既に存在する画像の上に重ね書きしてもよく、あるいは描画対象領域に存在する画像を消去しながら新たな画像を描画するようにしてもよい。本実施形態では、描画ヘッド１ａの本体１ｄの移動方向に沿って前後に、つまり描画ヘッド１ａの左右に光学センサ１ｂを設けてあり、本体１ｄが右から左へ移動する場合にも、逆に本体１ｄが左から右へ移動する場合にも、既に画面に表示されている内容を読み取りつつ新たな画像を描画することが可能となっている。
【００１７】
しかして、情報処理装置２は、図８に示すように、プロセッサ２ａ、メインメモリ２ｂ、ハードディスクドライブに代表される補助記憶デバイス２ｃ、電気通信回線４を介して通信を行うための通信インタフェース２ｄ、等のハードウェア資源を具備する。通信インタフェース２ｄは、ＮＩＣ（Ｎｅｔｗｏｒｋ  Ｉｎｔｅｒｆａｃｅ  Ｃａｒｄ）、モデム、ＲＳ−２３２Ｃ、ＵＳＢ（Ｕｎｉｖｅｒｓａｌ  Ｓｅｒｉａｌ  Ｂｕｓ）、ＩＥＥＥ１３９４、あるいは無線通信デバイス１ｇ、その他を包含する。通常、プロセッサ２ａによって実行されるべきプログラムが補助記憶装置２ｃに格納されており、プログラムの実行の際には補助記憶装置２ｃからメインメモリ２ｂに読み込まれ、プロセッサ２ａによって解読される。そして、当該プログラムに従い上記のハードウェア資源を作動し、図９に示す受信手段２５、データ格納手段２１、リクエスト受付手段２２、認証手段２３、送信手段２４としての役割を果たすようにしている。
【００１８】
受信手段２５は、通信インタフェース２ｄの機能を利用して、ボード側装置１よりもたらされる、ボード３に表示されている内容に係るデータ及び前記データにアクセスできる権限を証明する情報であって該データに関連づけるべき認証情報を受信する。
【００１９】
データ格納手段２１は、メインメモリ２ｂ若しくは補助記憶デバイス２ｃの所要の記憶領域を利用して、前記受信手段２５が受信した、ボード３に描画すべき内容に係るデータと該データにアクセスできる権限を証明する情報である認証情報とを関連づけて格納する。
【００２０】
リクエスト受付手段２２は、通信インタフェース２ｄの機能を利用して、前記データ格納手段２１が格納しているデータへのアクセスを要求するリクエストを受け付ける。リクエストには、アクセスを要求している対象であるデータ若しくはデータ群（あるいは、ディレクトリ）を識別する識別子（Ｕｎｉｆｏｒｍ  Ｒｅｓｏｕｒｃｅ  Ｉｄｅｎｔｉｆｉｅｒ）と、リクエストを発したユーザを識別する認証情報とが含まれる。因みに、リクエストは、ボード側装置１よりもたらされるとは限られず、該情報処理装置２と電気通信幹線を介して接続しているクライアントコンピュータ５よりもたらされることがある。
【００２１】
認証手段２３は、前記リクエスト受付手段２２が受け付けたリクエストに、アクセス対象となるデータと関連づけられた認証情報が含まれる場合にのみ、該データへのアクセスを許可し、それ以外の場合には不許可とする判断処理を行う。即ち、リクエストに含まれるＵＲＩを参照し、該ＵＲＩにより識別されるデータ若しくはデータ群をデータ格納手段２１が格納しているデータの中から検索して、該ＵＲＩにより識別されるデータ若しくはデータ群に関連づけられている認証情報を抽出して、これをリクエストに含まれる認証情報と比較する。
【００２２】
送信手段２４は、前記認証手段２３がアクセスを許可した事実に基づき、要求されたデータを送信する。その送信の宛先は、通常、リクエストを送ってきたボード側装置１、またはクライアントコンピュータ５である。
【００２３】
ユーザは、ボード３を使用して会議、プレゼンテーション等を開始するにあたり、情報処理装置２より所要のデータをダウンロードするべく、認証情報をボード側装置１に入力する。ボード側装置１には、当該ユーザを識別する認証情報を取得する認証情報取得手段１１を予め設けてある。認証情報の態様には、種々のものが考えられる。例えば、入力デバイス１ｅを介して入力可能なＩＤ、パスコードや、ユーザ自信のバイオメトリックデータ、ユーザに配布される各種記録媒体に記憶されている識別情報、あるいはこれらの組み合わせ、等を挙げることができる。そして、認証情報取得手段１１の具体的構成は、認証情報の態様に応じたものとなる。つまり、ＩＤやパスコードを入力するための入力デバイス１ｅや、バイオメトリックデータを入力するためのデバイス（指紋検知装置、網膜パターン入力装置、その他）、識別情報を記憶しているＩＣカードやメモリカードを読み書きするためのスロット、認証情報を記憶しているＲＦＩＤタグ、ＲＦＩＤチップを読み書きするためのＲＦＩＤリーダ、等を用いて、認証情報取得手段１１が構成される。因みに、ＩＣカード、メモリカード、ＲＦＩＤタグやＲＦＩＤチップは、ユーザに予め配布される。ユーザが、認証情報と、所要のデータ若しくはデータ群を識別するＵＲＩとをボード側装置１に入力すると、該ボード側装置１が具備する送信手段１２が、通信デバイス１ｇの機能を利用して、これらを含んでなるリクエストを情報処理装置２に向けて送信する。情報処理装置２は、リクエストを受け付け、認証を行った上で、データ若しくはデータ群をボード側装置１に返信する。ボード側装置１が具備する受信手段１３は、通信デバイス１ｇの機能を利用して該データ若しくはデータ群を受信し、メモリに格納する。しかる後、既に述べたように、受信したデータ若しくはデータ群を基に、描画手段１４が画像をボード３の画面に描画する。
【００２４】
ユーザは、会議やプレゼンテーションの最中に、受信手段１３が受信し描画手段１４が描画した画像に、加筆、修正したり、あるいは新たな画像を描画したりする。加筆、修正された画像、あるいは新たに描画された画像は、読み取り手段１５により読み取られ、データ化されて、メモリに格納される。ボード３を使用した会議、プレゼンテーション等を終了するときには、ボード側装置１が具備する送信手段１２が、メモリに格納されているデータを、該データにアクセスできる権限を証明する認証情報とともに、情報処理装置２に向けて送信する。これを受信した情報処理装置２は、データと認証情報とを関連づけた上で、データ格納手段２１に格納する。
【００２５】
なお、データを情報処理装置２に向けて送信するにあたり、認証情報取得手段１１が、新たに認証情報を取得することがある。特に、ボード３の画面に描画した内容を読み取りデータ化したものを、新規データとして情報処理装置２に送信、格納するときには、原則として当該データにアクセスできる権限に係る認証情報の取得または生成を行う。当該データにアクセスできる権限に係る認証情報は、ユーザより入力されてもよく、ユーザが所持しているＩＣカード、メモリカード、ＲＦＩＤタグ若しくはＲＦＩＤチップ等の記録媒体に記録されているものを読み取って用いてもよい。また、未だユーザの利用に供されていない記録媒体に記録されている認証情報を読み取り、これを当該データにアクセスできる権限に係る認証情報とするとともに、認証情報を読み取った記録媒体を会議やプレゼンテーションに参加したメンバーに配布してもよい。
【００２６】
あるいは、認証情報取得手段１１が認証情報を自動的に生成するという形で、認証情報を取得するものとしてもよい。この場合、生成した認証情報を記録媒体に書き込んだ上で、会議やプレゼンテーションに参加したメンバーに配布してもよい。複数メンバーに記録媒体を配布する場合、これら記録媒体に共通の認証情報を書き込んでもよく、記録媒体に別個の認証情報を書き込んでもよい（このときには、当該データに複数の認証情報が関連づけられる）。
【００２７】
本実施形態によれば、文字、図形、画像等を描画し得るボード３に付帯させるボード側装置１と、該ボード側装置１と通信可能に接続する情報処理装置２とを内包してなるシステムであって、前記情報処理装置２が、前記ボード３に描画すべき内容に係るデータと該データにアクセスできる権限を証明する情報である認証情報とを関連づけて格納するデータ格納手段２１と、前記データ格納手段２１が格納しているデータへのアクセスを要求するリクエストを受け付けるリクエスト受付手段２２と、前記リクエスト受付手段２２が受け付けたリクエストにアクセス対象となるデータと関連づけられた認証情報が含まれる場合にのみ該データへのアクセスを許可しそれ以外の場合には不許可とする認証手段２３と、前記認証手段２３がアクセスを許可した事実に基づき前記データを送信する送信手段２４とを具備し、前記ボード側装置１が、前記認証情報を取得する認証情報取得手段１１と、前記認証情報取得手段１１が取得した認証情報を含み所要のデータへのアクセスを要求するリクエストを前記情報処理装置２に向けて送信する送信手段１２と、前記情報処理装置２よりもたらされるデータを受信する受信手段１３と、前記受信手段が受信したデータを基に前記ボード３に描画すべき内容を描画する描画手段１４とを具備するボード３システムを構成したため、情報処理装置２と通信可能なボード側装置１を別々の場所に設置し、これらの場所から情報処理装置２に格納されているデータにアクセス可能となる。結果として、秘匿性を担保しながら、別々の場所に存在する複数人が情報を好適に共有し得るものとなる。
【００２８】
また、前記ボード側装置１が、前記ボード３に表示されている内容を読み取る読み取り手段１５と、前記読み取り手段１５が読み取った内容に係るデータにアクセスできる権限を証明する情報であって該データに関連づけるべき認証情報を取得する認証情報取得手段１１と、前記データ及び前記認証情報を送信する送信手段１２とを具備し、前記情報処理装置２が、前記ボード側装置１よりもたらされる前記データ及び前記認証情報を受信する受信手段２５と、前記受信手段が受信したデータと認証情報とを関連づけて格納するデータ格納手段２１と、前記データ格納手段２１が格納しているデータへのアクセスを要求するリクエストを受け付けるリクエスト受付手段２２と、前記リクエスト受付手段２２が受け付けたリクエストにアクセス対象となるデータと関連づけられた認証情報が含まれる場合にのみ該データへのアクセスを許可しそれ以外の場合には不許可とする認証手段２３とを具備するボード３システムとしたため、秘匿性を担保しながら、ボード３に記述した情報を情報処理装置２に格納し、別々の場所からアクセス可能となる。
【００２９】
総じて言えば、ある機会に、ある場所のボード３に記述した内容を、他の機会に、他の場所で再現でき、さらにこれに加筆、修正できるものとなる。従って、会議やプレゼンテーション等を、別の機会に、別の場所で継続することが可能となっている。
【００３０】
前記ボード３は、複数人が同時に閲覧することが可能な画面を有するものであるため、複数人による情報の共有のために特に有効となっている。
【００３１】
なお、本発明は以上に詳述した実施形態に限られるものではない。ボードは、上記実施形態におけるようなものには限られない。例えば、ボードが、物体の近接若しくは接触を感知するタッチパネルと、該タッチパネルが物体の近接若しくは接触を感知した部位に対応する画面上の座標に画素を表示する画像表示用のディスプレイとを重ね合わせてなるものであってもよい。この場合、ボード側装置に実装すべき描画手段は、前記タッチパネルに刺激を与えるための電気信号、磁気信号、電磁波信号若しくは機械的（物理的）刺激を駆動信号として出力するものとする。但し、ボードそれ自体は、単純な黒板若しくはホワイトボードであっても構わない。
【００３２】
読み取り手段が、ボードの画面に表示されている内容を光学的に読み取るとは限られない。よって、ボードが内包している磁性粒の磁極を感知するマグネットセンサを用いて読み取り手段を構成し、ボードに描画されている内容を磁気的に読み取るものとすることもできる。あるいは、光学センサとマグネットセンサとを併用するものとしてもよい。
【００３３】
読み取り手段が読み取った画像を描画手段が描画するとき、制御部において当該画像の拡大、縮小、回転等の処理を実行した上で描画することを妨げない。
【００３４】
その他各部の具体的構成は上記実施形態に限られるものではなく、本発明の趣旨を逸脱しない範囲で種々変形が可能である。
【００３５】
【発明の効果】
以上に詳述した本発明によれば、文字、図形、イラスト、画像等を描画して提示するための装置に関し、描画された内容に別々の場所から好適にアクセスして利用できるものとなる。
【図面の簡単な説明】
【図１】本発明の構成説明図。
【図２】本発明の構成説明図。
【図３】本発明の一実施形態におけるボードシステムの概要を示す図。
【図４】本発明の一実施形態におけるボードを模式的に示す図。
【図５】同実施形態におけるボード側装置を模式的に示す図。
【図６】同ボード側装置が具備するハードウェア資源を示す図。
【図７】同ボード側装置の使用例を説明する図。
【図８】同実施形態における情報処理装置が具備するハードウェア資源を示す図。
【図９】同実施形態の機能ブロック図。
【符号の説明】
１…ボード側装置
２…情報処理装置
３…ボード
【図１】
2004274518.tif 000003
【図２】
2004274518.tif 000004
【図３】
2004274518.tif 000005
【図４】
2004274518.tif 000006
【図５】
2004274518.tif 000007
【図６】
2004274518.tif 000008
【図７】
2004274518.tif 000009
【図８】
2004274518.tif 000010
【図９】
2004274518.tif 000011